(57)【特許請求の範囲】
【請求項１】
間隔をおいて対峙する一対の櫛歯板を有する櫛歯部と、上記櫛歯部の櫛歯板間に配設され、櫛歯の間に梳き入れた体毛に接触して焼き切るヒータワイヤとを具備する体毛切断処理器において、
上記ヒータワイヤの一端を繋着する第１の電極片と、上記ヒータワイヤの他端を繋着するフックを有すると共に、このヒータワイヤに張力を付勢するコイル部を有する弾性を有するワイヤばねにて形成される第２の電極片と、上記第１及び第２の電極片を装着すると共に、上記第２の電極片の接続端部を取付孔の周縁近傍に配設してなる保持体とからなるヒータワイヤユニットを具備し、
上記ヒータワイヤユニットの取付孔を貫通する取付ねじをもってこのヒータワイヤユニットを上記櫛歯部に取付可能に形成すると共に、上記第１及び第２の電極片を給電用電極端子に接続可能に形成し、
上記ヒータワイヤと並列に接続され、ヒータワイヤの通電により発光する発光素子と、この発光素子の電気回路に直列に接続されて発光素子への電圧を抑制する消耗表示用素子とからなる発光表示手段を具備する、
ことを特徴とする体毛切断処理器。
【請求項２】
請求項１記載の体毛切断処理器において、
上記櫛歯部に起倒可能に装着されて上記ヒータワイヤを通電−遮断するスイッチ片と、上記櫛歯部を覆うキャップとを具備し、
上記キャップに上記スイッチ片を挿入案内する開口部を設け、
上記スイッチ片の先端面中央部を残して両側に上記キャップの開口部の縁部と係合する誤動作防止用切欠を設けてなる、
ことを特徴とする体毛切断処理器。
【発明の詳細な説明】
【０００１】
【発明の属する技術分野】
この発明は体毛切断処理器に関するもので、更に詳細には、間隔をおいて対峙する一対の櫛歯板を有する櫛歯部と、櫛歯部の櫛歯板間に配設され、櫛歯の間に梳き入れた体毛に接触して焼き切るヒータワイヤとを具備する体毛切断処理器に関するものである。
【０００２】
【従来の技術】
一般にこの種の体毛切断処理器は、例えばハイレグ水着やレオタードの着用の前に無駄毛の処理用として使用されており、この種の体毛切断処理器として、例えば実公平４−３７５２１号公報あるいは特開平８−２８９８１４号公報等に記載のものが知られている。このうち、（1）実公平４−３７５２１号公報に記載の技術は、略弓型基体の両端部に突設された導電端子間にヒータワイヤを張設してなるヒータカセットを処理器本体に抜き差し可能に形成してなるものである。また（2）特開平８−２８９８１４号公報に記載の技術は、櫛歯部を頭部に対して着脱自在にし、頭部を把手部に対して着脱自在に形成し、ヒータワイヤを電極部材間に張設してなるヒータカートリッジが体毛処理器本体もしくは頭部に装着された状態においてヒータカートリッジのヒータワイヤに常時引っ張り力を与える引っ張り手段を具備してなるものである。
【０００３】
上記のように構成される体毛切断処理器によれば、櫛歯部で体毛を梳き揃えながら櫛歯板間のヒータワイヤを体毛の適当長さ部分に接触させた状態でスイッチをオン操作させると、ヒータワイヤが通電されて発熱し、このヒータワイヤに接触した体毛部分を簡単に焼き切ることができる。また、焼き切られた体毛の毛先は鋏や剃刀等の刃物で切断した場合とは異なり先鋭とはならず、丸みのあるものとなり、刃物による場合のように毛先に亀裂が生じるなどの不具合はない。
【０００４】
【発明が解決しようとする課題】
しかしながら、（1）前者すなわち実公平４−３７５２１号公報に記載の体毛切断処理器は、導電端子間にヒータワイヤを張設してなるヒータカセットを処理器本体の両櫛歯板間に抜き差し可能に形成してなるため、導電端子と電源側の給電端子との接触不良が生じ易いという問題があった。また、ヒータカセットの着脱を容易にするために櫛歯板とヒータカセットとに互いに係合するガイド条を設ける必要があり、そのためヒータカセットが大きくなると共に、櫛歯部が大きくなり、細かい体毛処理がしずらくなるという問題があった。更には、導電端子間にヒータワイヤを単に張設するものであるため、通電により発熱したヒータワイヤが膨脹して弛みが生じ、体毛を円滑に切断することができないという問題もあった。また、（2）後者すなわち特開平８−２８９８１４号公報に記載の体毛切断処理器においては、ヒータワイヤを電極部材間に張設してなるヒータカートリッジが体毛処理器本体もしくは頭部に装着された状態においてヒータカートリッジのヒータワイヤに常時引っ張り力を与える引っ張り手段を具備してなるため、通電により発熱したヒータワイヤが熱膨張により弛むということはないが、引っ張り手段はヒータワイヤを張設する電極部材の一方と体毛処理器本体もしくは頭部に掛け渡されるコイルばねによって形成されているため、部品点数が多くなると共に、組立が面倒となり、ヒータワイヤが切断あるいは損傷した場合の交換が面倒であるという問題があった。
【０００５】
また、使用時において、ヒータワイヤの通電状態や電池等の消耗状態を使用者に知らせる方が便利である。更には、この種の体毛切断処理器は携帯に便利な方がよいが、携帯時には櫛歯部の櫛歯板が外部に接触して破損するのを防止できるようにすることが望まれる。また、携帯時にヒータワイヤの通電用スイッチ片が不用意にオン状態になるのを防止するなどの手段を講じる必要がある。
【０００６】
この発明は、上記事情に鑑みなされたもので、構成部材を少なくしてヒータワイヤに常時張力を持たせ、かつヒータワイヤの取付を容易にすることを第１の目的とし、使用時のヒータワイヤの通電状態及び電気消耗状態を正確に表示可能にすることを第２の目的とし、また、携帯時の櫛歯部の保護及びスイッチ片の不用意な動作を防止することを第３の目的とする体毛切断処理器を提供するものである。
【０００７】
【課題を解決するための手段】
上記目的を達成するために、この発明の体毛切断処理器は以下のように構成される。
【０００８】
請求項１記載の発明は、間隔をおいて対峙する一対の櫛歯板を有する櫛歯部と、上記櫛歯部の櫛歯板間に配設され、櫛歯の間に梳き入れた体毛に接触して焼き切るヒータワイヤとを具備する体毛切断処理器において、  上記ヒータワイヤの一端を繋着する第１の電極片と、上記ヒータワイヤの他端を繋着するフックを有すると共に、このヒータワイヤに張力を付勢するコイル部を有する弾性を有するワイヤばねにて形成される第２の電極片と、上記第１及び第２の電極片を装着すると共に、上記第２の電極片の接続端部を取付孔の周縁近傍に配設してなる保持体とからなるヒータワイヤユニットを具備し、  上記ヒータワイヤユニットの取付孔を貫通する取付ねじをもってこのヒータワイヤユニットを上記櫛歯部に取付可能に形成すると共に、上記第１及び第２の電極片を給電用電極端子に接続可能に形成し、  上記ヒータワイヤと並列に接続され、ヒータワイヤの通電により発光する発光素子と、この発光素子の電気回路に直列に接続されて発光素子への電圧を抑制する消耗表示用素子とからなる発光表示手段を具備する、ことを特徴とする。
【０００９】
請求項２記載の発明は、請求項１記載の体毛切断処理器において、  上記櫛歯部に起倒可能に装着されて上記ヒータワイヤを通電−遮断するスイッチ片と、上記櫛歯部を覆うキャップとを具備し、  上記キャップに上記スイッチ片を挿入案内する開口部を設け、  上記スイッチ片の先端面中央部を残して両側に上記キャップの開口部の縁部と係合する誤動作防止用切欠を設けてなる、ことを特徴とする。
【００１０】
この発明において、上記第２の電極片は、上記ヒータワイヤの他端を繋着すると共に、このヒータワイヤに張力を付勢する弾性を有し、かつ接続端部が保持体に設けられた取付孔の周縁近傍に配設されるもので、例えばヒータワイヤを繋着するフック部と、保持体の取付孔の周縁に位置する曲げ部と、保持体に突設される取付部に取り付けられるばね性を付勢するためのコイル部とを有するワイヤばねにて形成することができる。
【００１１】
請求項１記載の発明によれば、第２の電極片が電極部とヒータワイヤの張力付勢手段を兼用することができるので、構成部材の削減が図れると共に、ヒータワイヤの取付を容易にすることができる。また、ヒータワイヤユニットの取付孔を貫通する取付ねじを櫛歯部に取り付けることにより、第１及び第２の電極片を櫛歯部の給電用電極端子に確実に接続することができる。更には、ヒータワイヤユニットの第１の電極片と第２の電極片の接続端部間にテスター電極端子を接続することによって組立前にヒータワイヤの通電状態を調べることができる。
【００１２】
また、ヒータワイヤと並列に接続されてヒータワイヤの通電により発光する発光素子と、この発光素子の電気回路に直列に接続されて発光素子への電圧を抑制する消耗表示用素子とからなる発光表示手段を具備するので、体毛切断処理器の使用状態及び電気の消耗状態を使用者に知らせることができる。
【００１３】
請求項２記載の発明によれば、櫛歯部に起倒可能に装着されてヒータワイヤを通電−遮断するスイッチ片と、櫛歯部を覆うキャップとを具備し、キャップにスイッチ片を挿入案内する開口部を設け、スイッチ片の先端面中央部を残して両側にキャップの開口部と係合する誤動作防止用切欠を設けることにより、櫛歯部をキャップによって保護することができると共に、携帯時にスイッチ片が誤動作するのを防止することができる。
【００１４】
【発明の実施の形態】
以下に、この発明の実施形態を図面に基いて詳細に説明する。図１はこの発明の体毛切断処理器の一例を示す斜視図、図２はその分解斜視図である。
【００１５】
上記体毛切断処理器は、給電用電源である電池（図示せず）を収容する筒状の処理器本体１０と、この処理器本体１０の先端部に取り付けられる適宜間隔をおいて対峙する一対の櫛歯板２１，２２からなる櫛歯部２０と、櫛歯部２０の櫛歯板２１，２２間に櫛歯と直交状に配設されるヒータワイヤ３１を張設するヒータワイヤユニット３０と、櫛歯部２０の上部に露出する発光表示手段４０と、ヒータワイヤ３１の通電−遮断のオン、オフ操作用のスイッチ片５０と、このスイッチ片５０を露出させた状態で櫛歯部２０及び発光表示手段４０を覆うキャップ６０とで主に構成されている。
【００１６】
上記処理器本体１０は、図示しない電池を収容する開口部を有する有底筒状に形成されており、底部すなわち先端の櫛歯部側には電池の例えば陽極（＋）側に接続する接続部を有するスイッチ板ばね１１がスイッチ止めねじ１２によって外方に向かって突設され、また、開口部側には電池の陰極（−）側に接続する電池板１３、この電池板１３を押圧する電池ばね１４を介して電池蓋１５が例えばバヨネット嵌合によって着脱可能に取り付けられるようになっている。なお、この電池蓋１５の外表面には表示用のシール１８が貼着可能になっている。また、処理器本体１０内には一端が電池板１３に接続し、他端が櫛歯部側から外方に向かって突出する給電用電極端子としてのアース板ばね１６が沿設されている。
【００１７】
また、処理器本体１０の先端面には、間隔をおいて対峙する一対の軸受部１７が突設されており、この軸受部１７に上記スイッチ片５０の一端両側から突出する突軸５１が回転可能に支承されている。軸受部１７に回転可能に支承されるスイッチ片５０は、自由端部が起倒可能になっており、上記スイッチ板ばね１１の上面に係合し、スイッチ板ばね１１の弾発力に抗して押し下げることによりスイッチ板ばね１１が後述する給電用電極板２７に接触し得るように構成されている。
【００１８】
上記櫛歯部２０を構成する櫛歯板２１，２２は、先端の先細り状部２０ａに櫛歯２０ｂが形成され、先細り状部２０ａに連なる半円弧状の基部２０ｃの内側に設けられたねじ受部２０ｄに処理器本体１０内からねじ込まれる止めねじ２３によって処理器本体１０に取り付けられている。なお、櫛歯部２０の上部にはスイッチ片５０の挿入用切欠２４と発光表示手段４０の発光素子４１の露出用開口窓２５を残して相対する櫛歯板２１，２２に向かって延びるフランジ部２０ｅが設けられている。また、一方の櫛歯板２１の内側にはヒータワイヤユニット３０の取付座２０ｆと発光素子４１の支持座２０ｇ及び後述する発光表示手段４０の消耗表示用素子としてのダイオード４２の保持座２０ｈが設けられている（図２及び図３参照）。なおこの場合、取付座２０ｆの表面には、処理器本体１０の先端面に止めねじ２６によって固定される給電用電極板２７の端子２７ａが配置されている。この給電用電極板２７は、上記スイッチ板ばね１１が接触し得るように構成されている。
【００１９】
一方、上記ヒータワイヤユニット３０は、図２ないし図４に示すように、略弓型状に形成され、中央部に取付孔３２ａを有する電気絶縁性の保持体３２と、この保持体３２の一端部に端子止めねじ３３及びナット３３ａによって装着され、上記アース板ばね１６の先端部に接触し得る第１の電極片３４と、保持体３２の他端部に突設された取付部３２ｂにばね性を付勢するためのコイル部３５ａが装着されるワイヤばねにて形成される第２の電極片３５と、一端が第１の電極片３４に繋着され、他端が第２の電極片３５のフック部３５ｂに繋着され、かつ第２の電極片３５の弾性力によって常時張力が付勢されるヒータワイヤ３１とで構成されており、第２の電極片３５のコイル部３５ａに連なる曲げ部３５ｃが取付孔３２ａの周縁部近傍に配置されている。したがって、ヒータワイヤ３１は第２の電極片３５の弾発力によって常時張力が付与された状態で張設されるので、通電によってヒータワイヤ３１が発熱して膨脹しても、弛むことなく常時張力が働いて張設される。
【００２０】
上記のように構成されるヒータワイヤユニット３０は、取付孔３２ａを貫通する取付ねじ３６を、櫛歯部２０の櫛歯板２１に設けられた取付座２０ｆにねじ止めすることによって、ヒータワイヤ３１が櫛歯板２１の櫛歯２０ｂと直交した状態で櫛歯部２０に取り付けられる。この状態において、第１の電極片３４が陰極（−）側の給電用電極端子であるアース板ばね１６に接続し、第２の電極片３５の曲げ部３５ｃが取付座２０ｆの表面に配置された陽極（＋）側の給電用電極板２７の端子２７ａに接続される。したがって、取付ねじ３６を取付座２０ｆにねじ止めすることによって簡単かつ確実にヒータワイヤ３１を通電可能状態にすることができる。また、ヒータワイヤユニット３０の第１の電極片３４と第２の電極片３５の曲げ部３５ｃ間にテスターの電極端子を接続することによって、組立前にヒータワイヤ３１の通電可能状態をテストすることができる。
【００２１】
また、上記キャップ６０は、上記スイッチ片５０を案内する開口部６１が設けられており、この開口部６１内にスイッチ片５０を案内した状態で櫛歯部２０を覆うように構成されている。この場合、図５に示すように、スイッチ片５０は、先端面中央部を残して両側にキャップ６０の開口部６１の縁部と係合する誤動作阻止用切欠５２が設けられている。したがって、櫛歯部２０をキャップ６０で覆うことにより、櫛歯部２０を保護することができる。また、キャップ６０の開口部６１の縁部がスイッチ片５０の誤動作阻止用切欠５２に係合することにより、スイッチ片５０が不用意に押し込まれてヒータワイヤ３１が通電するのを防止することができる。なおこの場合、開口部６１の端縁をテーパ状あるいは円弧状に形成し、誤動作阻止用切欠５２を開口部６１の端縁形状に沿わせた形状とすることにより、スイッチ片５０のみを露出させた状態でキャップ６０を櫛歯部２０に装着することができる。また、誤動作阻止用切欠５２をスイッチ片５０の先端面中央部を残して両側に設けることにより、スイッチ片５０の先端面の左右に渡って切欠を設ける場合に比べて強度もたせることができると共に、スイッチ片５０先端部の損傷を防止することができる。つまり、スイッチ片５０の先端面の中央を残こすことによって誤動作阻止用切欠５２に補強リブを形成することができるので、強度をもたせることができ、外部からの衝撃等によってスイッチ片５０の先端部が損傷するのを防止することができる。
【００２２】
一方、上記発光表示手段４０は、図３及び図６に示すように、例えば電池による電源Ｅに上記スイッチ片５０を有するスイッチＳを介して直列に接続されるヒータワイヤ３１の電気回路において、ヒータワイヤ３１と並列に接続される発光素子４１（ＬＥＤ）と、この発光素子４１と直列に接続されて発光素子４１への電圧を抑制する消耗表示用素子例えばダイオード４２とで構成されている。なお、発光素子４１の２本のリード線４１ａは絶縁チューブ４３によって被覆されている。
【００２３】
このように、ヒータワイヤ３１と並列に発光素子４１とダイオード４２とを接続することにより、スイッチＳのオン動作によってヒータワイヤ３１が通電されて発熱すると同時に、発光素子４１が発光して通電状態を表示することができる。また、ダイオード４２によって電源Ｅの電圧例えば３Ｖを例えば２Ｖに抑制して発光素子４１に印加させて発光素子４１に所定の電圧を印加させることができ、発光素子４１の高電圧による電気的破壊を防止することができる。更に、連続通電による発熱によってダイオード４２に電気が流れることによって発光素子４１の照度を低下させることで、電池の消耗状態を知らせることができる。
【００２４】
上記のように構成される体毛切断処理器を使用するには、櫛歯部２０で体毛を梳き揃えながら櫛歯板２１，２２間のヒータワイヤ３１を体毛の適当長さ部分に接触させた状態でスイッチ片５０をオン動作させる。すると、ヒータワイヤ３１が通電されて発熱し、このヒータワイヤ３１に接触した体毛部分を簡単に焼き切ることができる。しかも、焼き切られた体毛の毛先は鋏や剃刀等の刃物で切断した場合とは異なり先鋭とはならず、丸みのあるものとなり、刃物による場合のように毛先に亀裂が生じるなどの不具合はない。また、ヒータワイヤ３１が通電されている状態では発光素子４１が発光して使用者に通電状態を知らせることができ、ダイオード４２によって発光素子４１の照度を低下させることで、電池の消耗状態を使用者に知らせることができる。したがって、使用者は電池の消耗状態を確認しながら体毛処理を行うことができる。
【００２５】
なお、上記実施形態では、電源が電池である場合について説明したが、電源は必ずしも電池である必要はなく、外部電源を用いるようにしてもよい。この場合、処理器本体１０内に外部電源のコネクタ部や外部電源から入力される電圧又は電流もしくはその両者を変換するコンバータを内蔵させるようにしてもよい。
【００２６】
【発明の効果】
以上に説明したように、この発明の体毛切断処理器は上記のように構成されているので、以下のような優れた効果が得られる。
【００２７】
１）請求項１記載の発明によれば、第２の電極片が電極部とヒータワイヤの張力付勢手段を兼用することができるので、構成部材の削減が図れると共に、ヒータワイヤの取付を容易にすることができる。また、ヒータワイヤユニットの取付孔を貫通する取付ねじを櫛歯部に取り付けることにより、第１及び第２の電極片を櫛歯部の給電用電極端子に確実に接続することができる。更には、ヒータワイヤユニットの第１の電極片と第２の電極片の接続端部間にテスターの電極端子を接続することによって、組立前にヒータワイヤの通電状態を調べることができるので、組立後の不良品を少なくすることができ、製品歩留まりの向上を図ることができる。
【００２８】
２）また、ヒータワイヤと並列に接続されてヒータワイヤの通電により発光する発光素子と、この発光素子の電気回路に直列に接続されて発光素子への電圧を抑制する消耗表示用素子とからなる発光表示手段を具備するので、体毛切断処理器の使用状態及び電気の消耗状態を使用者に知らせることができる。
【００２９】
３）請求項２記載の発明によれば、櫛歯部を覆うキャップにスイッチ片を挿入案内する開口部を設け、スイッチ片の先端面中央部を残して両側にキャップの開口部と係合する誤動作防止用切欠を設けることにより、櫛歯部をキャップによって保護することができると共に、携帯時にスイッチ片が誤動作するのを防止することができ、安全に携帯することができる。
【図面の簡単な説明】
【図１】  この発明の体毛切断処理器の一例を示す斜視図である。
【図２】  上記体毛切断処理器の分解斜視図である。
【図３】  この発明におけるヒータワイヤユニット及び発光表示手段の取付状態を示す一部断面斜視図である。
【図４】  上記ヒータワイヤユニット及びその取付状態を示す斜視図である。
【図５】  この発明におけるキャップとスイッチ片の係合状態を示す斜視図（ａ）、（ａ）のＡ−Ａ線に沿う断面図（ｂ）及び（ｂ）のＢ−Ｂ線に沿う断面図（ｃ）である。
【図６】  この発明における発光表示手段を構成する発光素子と消耗用表示素子の接続状態を示す電気回路図である。
【符号の説明】
１０  処理器本体
１６  アース板ばね（給電用電極端子）
２０  櫛歯部
２０ｆ  取付座
２１，２２  櫛歯板
２７  給電用電極板
２７ａ  給電用電極板端子（給電用電極端子）
３０  ヒータワイヤユニット
３１  ヒータワイヤ
３２  保持体
３２ａ  取付孔
３４  第１の電極片
３５  第２の電極片
３５ａ  コイル部
３５ｂ  フック部
３５ｃ  曲げ部
３６  取付ねじ
４０  発光表示手段
４１  発光素子
４２  ダイオード（消耗表示用素子）
５０  スイッチ片
５２  誤動作阻止用切欠
６０  キャップ
６１  開口部
【図１】
0003682697.tif 000002
【図２】
0003682697.tif 000003
【図３】
0003682697.tif 000004
【図４】
0003682697.tif 000005
【図５】
0003682697.tif 000006
【図６】
0003682697.tif 000007